(57)【要約】  バイオサニタリおよび細胞毒性の廃棄物用の冷凍機であって、廃棄物容器を収容する内部空間と、前面扉であって、それを通じて廃棄物容器が内部空間に挿入される／内部空間から取り出される、前面扉と、上部扉であって、それを通じて廃棄物が内部容器に放り込まれる上部扉と、冷却手段と、内部空間の温度制御手段とを備え、冷凍機は、扉を開くときに内部空間からの空気流を処理する空気清浄器であって、粒子状の化学的汚染物質および生物学的汚染物質の両方の外部環境への放出を防止する空気清浄器をさらに備える。【選択図】図１
2019522497.tif 000002
【特許請求の範囲】
【請求項１】
バイオサニタリおよび細胞毒性の廃棄物用の冷凍機であって、
−  廃棄物容器（２）を収容する内部空間（１）と、
−  前面扉（３）であって、それを通じて前記廃棄物容器（２）が前記内部空間（１）に挿入される／前記内部空間（１）から取り出される、前面扉（３）と、
−  上部扉（４）であって、それを通じて前記廃棄物が前記内部容器（２）に放り込まれる上部扉（４）と、
−  冷却手段（７）と、
−  内部空間（１）温度制御手段と、
−  前記内部空間（１）からの空気流を処理する空気清浄器（５）とを備える冷凍機において、
上部空気入口（５．１）および前面空気入口（５．２）を備える前記空気清浄器（５）が、前記冷凍機の隔室の外側に配置されており、前記上部空気入口（５．１）が前記上部扉（４）の方を向いており、前記前面空気入口（５．２）が前記前面扉（３）の方を向いていることを特徴とする、冷凍機。
【請求項２】
前記空気清浄器（５）が、前記冷凍機の側面のうちの１つの外側に配置されている、請求項１に記載の冷凍機。
【請求項３】
前記上部扉（４）または前記前面扉（３）を開くと、前記空気清浄器（５）が動作状態となる、請求項１に記載の冷凍機。
【請求項４】
前記上部扉（４）または前記前面扉（３）が、ペダル（６）の操作によって開く、請求項１に記載の冷凍機。
【請求項５】
前記空気清浄器（５）が、光触媒作用によって前記内部空間（１）からの空気流を処理する、請求項１に記載の冷凍機。
【請求項６】
前記光触媒作用に使用される光触媒が、二酸化チタン（ＴｉＯ２）である、請求項５に記載の冷凍機。
【請求項７】
前記空気清浄器（５）が、紫外線（ＵＶ）ランプによって照射される二酸化チタン（ＴｉＯ２）の基材を備える、請求項６に記載の冷凍機。
【請求項８】
前記空気清浄器（５）が、空気流撹拌手段を備える、請求項１に記載の冷凍機。
【発明の詳細な説明】
【技術分野】
【０００１】
本発明は、バイオサニタリ廃棄物および細胞毒性廃棄物のための冷凍機であって、かかる廃棄物の劣化を遅らせることができる冷蔵手段を用いて、病院において使用される、またはかかる廃棄物をごみ焼却場に輸送するために使用される類のものであり；冷凍機の内部に収容された廃棄物によって生じる粒子状汚染物質の放出を打ち消すために二酸化チタン光触媒作用を用いた空気清浄器を新規に組み込んだ冷凍機を目的とする。
【背景技術】
【０００２】
バイオサニタリおよび細胞毒性の廃棄物用の様々な設計の冷蔵機が知られている。例えば、２００６年７月１日に公開されたスペイン国実用新案公開第１０６２５３１号には、廃棄物が廃棄される容器の挿入および取り出しを可能にする前面扉と、廃棄物を容器に放り込むための上部扉とを備える冷蔵機が示されている。冷蔵機は、側壁および後壁に配置されたそれぞれのコイル、ならびに冷蔵機内側の温度を調節するサーモスタットを備える。
【０００３】
これらの既知の冷蔵機には、上部扉または前面扉を開くときに、冷蔵機の内部からの空気流と共に粒子状の化学的汚染物質および生物学的汚染物質が外部環境に放出される、という欠点がある。
【先行技術文献】
【特許文献】
【０００４】
【特許文献１】スペイン国実用新案公開第１０６２５３１号明細書
【発明の概要】
【発明が解決しようとする課題】
【０００５】
このため、上記先行技術の欠点を簡単かつ経済的に解決できる、バイオサニタリおよび細胞毒性の廃棄物用の冷凍機を設計する必要がある。
【課題を解決するための手段】
【０００６】
本発明は、独立請求項において規定され特徴付けられている一方、本発明の追加の特徴は、従属請求項に記載されている。
【０００７】
本発明の目的は、バイオサニタリおよび細胞毒性の廃棄物用の冷凍機である。解決すべき技術的課題は、冷凍機の扉を開くときに外部環境への粒子状汚染物質の放出をいかに防止するかということである。
【発明の効果】
【０００８】
本発明の利点は、本発明によって、首尾よく、取り組まれる技術的課題に対する解決策が効果的に提供される点にあり、冷凍機の扉の出口に空気清浄器を配置することで、冷凍機の任意の扉が開かれるときに冷凍機の内部空間からの空気流を処理することが可能となり、よって粒子状の化学的汚染物質および生物学的汚染物質の両方の外部環境への放出が防止される点にある。
【０００９】
本明細書は、本発明の範囲を決して限定しようとするものではない、本発明の好適な例を示す図によって補足される。
【図面の簡単な説明】
【００１０】
【図１】バイオサニタリおよび細胞毒性の廃棄物用の冷凍機の斜視図である。
【発明を実施するための形態】
【００１１】
本発明は、バイオサニタリおよび細胞毒性の廃棄物用の冷凍機である。
【００１２】
図１に示すように、冷凍機は：
−  廃棄物容器（２）を収容する内部空間（１）と、
−  前面扉（３）であって、それを通じて廃棄物容器（２）が内部空間（１）に挿入される／内部空間（１）から取り出される、前面扉（３）と、
−  上部扉（４）であって、それを通じて廃棄物が内部容器（２）に放り込まれる上部扉（４）と、
−  冷却手段（７）と、内部空間（１）の温度制御手段（不図示）とを備える。
【００１３】
例えば、冷却手段（７）は、冷凍機の側壁および後壁に配置されたそれぞれのコイル（不図示）を備えてもよく、温度制御手段は、冷凍機の内部空間（１）の温度を０℃〜−２５℃の間で調節するサーモスタット（不図示）でもよい。
【００１４】
同様に、冷凍機は、内部空間（１）からの空気流を処理する空気清浄器（５）を備える。空気清浄器（５）は、冷凍機の外側、例えば、その側面の１つに配置されてもよい。
【００１５】
好ましくは、空気清浄器（５）は、上部扉（４）の方を向いた上部空気入口（５．１）を備え；同様に、空気清浄器は、冷凍機の前面扉（３）の方を向いた前面空気入口（５．２）を備えてもよい。
【００１６】
同様に、上部扉（４）または前面扉（３）を開くと、空気清浄器（５）が動作状態となることが好ましい。冷凍機の前面またはその側面の１つにある接触可能なペダル（６）の操作によって、上部扉（４）または前面扉（３）が開くことが好ましい。
【００１７】
空気清浄器（５）は、冷凍機の上部扉（４）または前面扉（３）が開くと、内部空間（１）からの空気流を空気清浄器（５）の方に引き込む、例えばファン（不図示）などの撹拌手段を備えてもよい。同時に、かかる撹拌手段は、空気清浄器（５）の内部を通じて上部空気入口（５．１）または前面空気入口（５．２）と浄化空気出口（５．３）との間で粒子状汚染物質を伴う空気流を伝達する。
【００１８】
一方、内部空間（１）からの空気流が、例えば、二酸化チタン（ＴｉＯ２）を光触媒として用いる、光触媒作用によって空気清浄器（５）内で処理されることが好ましい。このために、空気清浄器（５）は、紫外線（ＵＶ）ランプ（不図示）によって照射される二酸化チタン（ＴｉＯ２）の基材（不図示）を内部に備えてもよい。空気清浄器（５）の入口（５．１、５．２）と出口（５．３）との間で伝達される空気流は、照射された基材を通じて流れる。
【００１９】
空気清浄器（５）を通過する際に、冷凍機の内部空間（１）からの粒子状汚染物質を伴う空気流は、空気清浄器（５）の出口において清浄空気に変換され、冷凍機の内部空間（１）の容器（２）に収容され分離段階にあるバイオサニタリおよび細胞毒性の廃棄物に由来する、粒子状の化学的汚染物質および生物学的汚染物質の両方の外部環境への放出を打ち消す。
【００２０】
空気流の清浄化は、紫外線（ＵＶ）ランプからの光子を二酸化チタン（ＴｉＯ２）が吸収するときに形成されたヒドロキシルラジカルおよびスーパオキサイドイオンと接触することによって、付随する粒子状汚染物質が、二酸化炭素（ＣＯ２）および水蒸気に首尾よく完全に還元されるまで「酸化する」ときに生じ、結果として、粒子状汚染物質による汚染リスクを伴わずに外部環境に放出するのに適した清浄空気が得られる。
【図１】
2019522497.tif 000003
【国際調査報告】
2019522497.tif 000004
2019522497.tif 000005
2019522497.tif 000006
2019522497.tif 000007
2019522497.tif 000008
2019522497.tif 000009